【手続補正書】
【提出日】平成25年3月5日(2013.3.5)
【手続補正１】
【補正対象書類名】特許請求の範囲
【補正対象項目名】全文
【補正方法】変更
【補正の内容】
【特許請求の範囲】
【請求項１】
（Ａ）少なくとも１種のヒドロキシル基含有ポリアクリレート及び／又は少なくとも１種のヒドロキシル基含有ポリメタクリレート及び
（Ｂ）少なくとも１種の、式（Ｉ）：
【化１】
2012530816.tif 000001
の構造単位（Ｉ）及び少なくとも１種の、式（ＩＩ）：
【化２】
2012530816.tif 000002
の構造単位（ＩＩ）を有する、少なくとも１種のイソシアネート基含有化合物
［式中、
Ｒ＝水素、アルキル、シクロアルキル、アリール又はアラルキル（この際、炭素鎖は、非隣接の酸素基、硫黄基又はＮＲａ基によって中断されていてよく、ここでＲａ＝アルキル、シクロアルキル、アリール又はアラルキルである）、
Ｒ’＝水素、アルキル又はシクロアルキル（この際、炭素鎖は、非隣接の酸素基、硫黄基又はＮＲａ基によって中断されていてよく、ここでＲａ＝アルキル、シクロアルキル、アリール又はアラルキルである）、有利にＲ’＝エチル及び／又はメチル、
Ｘ、Ｘ’＝１〜２０個の炭素原子を有する直鎖及び／又は分枝鎖のアルキレン又はシクロアルキレン基、有利にＸ、Ｘ’＝１〜４個の炭素原子を有するアルキレン基、
Ｒ''＝アルキル、シクロアルキル、アリール又はアラルキル（この際、炭素鎖は、非隣接の酸素基、硫黄基又はＮＲａ基によって中断されていてよく、ここでＲａ＝アルキル、シクロアルキル、アリール又はアラルキルである）、有利にＲ''＝殊に１〜６個のＣ原子を有するアルキル基、
ｎ＝０〜２、
ｍ＝０〜２、
ｍ＋ｎ＝２、及び
ｘ、ｙ＝０〜２である］を含有する被覆剤において、
（ｉ）成分（Ａ）として使用されるヒドロキシル基含有ポリアクリレート及び／又はヒドロキシル基含有ポリメタクリレートは、ガラス転移温度１０℃未満を有し、
（ｉｉ）イソシアネート基含有化合物（Ｂ）は、各々構造単位（Ｉ）及び（ＩＩ）の全体に対して、少なくとも１種の式（Ｉ）の構造単位１０モル％超９０モル％まで及び少なくとも１種の式（ＩＩ）の構造単位１０〜９０モル％未満を有し、かつ
（ｉｉｉ）化合物（Ｂ）のジイソシアネート基体及び／又はポリイソシアネート基体のイソシアネート基の１０〜６０モル％は、式（Ｉ）及び（ＩＩ）の構造単位に変換されていることを特徴とする被覆剤。
【請求項２】
成分（Ａ）として使用されるヒドロキシル基含有ポリアクリレート及び／又はヒドロキシル基含有ポリメタクリレートは、ガラス転移温度Ｔｇ−６０℃〜５℃を有することを特徴とする、請求項１に記載の被覆剤。
【請求項３】
成分（Ａ）として使用されるヒドロキシル基含有ポリアクリレート及び／又はヒドロキシル基含有ポリメタクリレートは、ガラス転移温度Ｔｇ−３０℃〜＜０℃を有することを特徴とする、請求項１又は２に記載の被覆剤。
【請求項４】
イソシアネート基含有化合物（Ｂ）は、各々構造単位（Ｉ）及び（ＩＩ）の全体に対して、少なくとも１種の式（Ｉ）の構造単位２０〜８０モル％、及び少なくとも１種の式（ＩＩ）の構造単位８０〜２０モル％を有することを特徴とする、請求項１から３までのいずれか１項に記載の被覆剤。
【請求項５】
イソシアネート基含有化合物（Ｂ）は、各々構造単位（Ｉ）及び（ＩＩ）の全体に対して、少なくとも１種の式（Ｉ）の構造単位３０〜７０モル％、及び少なくとも１種の式（ＩＩ）の構造単位７０〜３０モル％を有することを特徴とする、請求項１から４までのいずれか１項に記載の被覆剤。
【請求項６】
被覆剤は、各々被覆剤の固体含量に対して、Ｓｉ１．５質量％〜６．０質量％の算出された珪素含量を有することを特徴とする、請求項１から３までのいずれか１項に記載の被覆剤。
【請求項７】
イソシアネート基含有化合物（Ｂ）の製造に使用されるジイソシアネート及び／又はポリイソシアネートは、ガラス転移温度０℃以下を有することを特徴とする、請求項１から６までのいずれか１項に記載の被覆剤。
【請求項８】
イソシアネート基含有化合物（Ｂ）の製造に使用されるジイソシアネート及び／又はポリイソシアネートは、１，６−ヘキサメチレンジイソシアネート及び／又はそのイソシアヌレート三量体及び／又はそのアロファネート二量体であることを特徴とする、請求項１から７までのいずれか１項に記載の被覆剤。
【請求項９】
イソシアネート基含有化合物（Ｂ）は、ジイソシアネート及び／又はポリイソシアネートを、少なくとも１種の、式（Ｉａ）：
【化３】
2012530816.tif 000003
の化合物及び少なくとも１種の、式（ＩＩａ）：
【化４】
2012530816.tif 000004
［式中、置換基は、請求項１に記載した意味を有する］の化合物と反応させることによって製造されていることを特徴とする、請求項１から８までのいずれか１項に記載の被覆剤。
【請求項１０】
被覆剤は、各々被覆剤の固体含量に対して、少なくとも１種のヒドロキシル基含有ポリアクリレート（Ａ）及び／又は少なくとも１種のヒドロキシル基含有ポリメタクリレート（Ａ）２０〜８０質量％を含有することを特徴とする、請求項１から９までのいずれか１項に記載の被覆剤。
【請求項１１】
ヒドロキシル基含有ポリアクリレート及び／又はヒドロキシル基含有ポリメタクリレートは、
（ａ）アクリル酸のヒドロキシル基含有エステル又はこのモノマーの混合物１０〜８０質量％、
（ｂ）（ａ）と異なった、メタクリル酸のヒドロキシル基含有エステル又はそのようなモノマーを含む混合物０〜３０質量％、
（ｃ）（ａ）及び（ｂ）と異なった、アルコール基中に少なくとも４個の炭素原子を有する（メタ）アクリル酸の脂肪族又は環状脂肪族エステル又はそのようなモノマーを含む混合物５〜９０質量％、
（ｄ）エチレン系不飽和カルボン酸又はエチレン系不飽和カルボン酸を含む混合物０〜５質量％、
（ｅ）ビニル芳香族体又はそのようなモノマーを含む混合物０〜５０質量％、及び
（ｆ）（ａ）、（ｂ）、（ｃ）、（ｄ）及び（ｅ）と異なったエチレン系不飽和モノマー又はそのようなモノマーを含む混合物０〜５０質量％（この際、成分（ａ）、（ｂ）、（ｃ）、（ｄ）、（ｅ）及び（ｆ）の質量割合の合計は、常に１００質量％である）
を共重合させることによって得られることを特徴とする、請求項１から１０までのいずれか１項に記載の被覆剤。
【請求項１２】
被覆剤は、少なくとも１種の、燐含有及び窒素含有触媒を含有することを特徴とする、請求項１から１１までのいずれか１項に記載の被覆剤。
【請求項１３】
場合により予備被覆された支持体上に顔料着色ベースコート層を、及びその後に、請求項１から１２までのいずれか１項に記載の被覆剤を含む層を塗布することを特徴とする多段階被覆法。
【請求項１４】
顔料着色ベースコート層の塗布後に、塗布されたベースコートを、先ず室温〜８０℃の温度で乾燥させ、かつ請求項１から１２までのいずれか１項に記載の被覆剤の塗布後に、３０〜２００℃の温度で１分間〜１０時間硬化させることを特徴とする、請求項１３に記載の多段階被覆法。
【請求項１５】
自動車生産ライン塗装、自動車表装部品の塗装及び自動車修理塗装のための、請求項１から１２までのいずれか１項に記載の被覆剤のクリアコートしての使用又は請求項１３又は１４に記載の方法の適用のための使用。
【請求項１６】
クリアコート層は、請求項１から１２までのいずれか１項に記載の被覆剤から製造されている、少なくとも１種の顔料着色ベースコート層及びその上に配置されている少なくとも１種のクリアコート層を含む効果付与及び／又は着色性の多層塗装。